(57)【要約】【課題】  デジタルアンプへの電源供給を行う電源回路が停止した場合であっても、音質劣化が防止された状態で継続的な音声出力を行う。【解決手段】  音声信号の変調を行うパルス変調回路１２０と、前記変調回路の出力で駆動されるＤ級ドライブ回路１３０と、前記Ｄ級ドライブ回路の出力を平滑するフィルタ回路１４０と、前記パルス変調回路に電源供給を行うＤＣＤＣコンバータ１１０とを設け、前記ＤＣＤＣコンバータの異常信号ＦＬＴに応じて減衰器１１２を調整し、入力ゲインを低下させることで、音声劣化を防止する。【選択図】  図１
2006148671.tif 000002
【特許請求の範囲】
【請求項１】
音声信号をスイッチング増幅してアナログ出力するデジタルアンプであって、
前記音声信号の変調を行うパルス変調回路と、
前記変調回路の出力で駆動されるＤ級ドライブ回路と、
前記Ｄ級ドライブ回路の出力を平滑するフィルタ回路と、
前記パルス変調回路に電源供給を行うＤＣＤＣコンバータとを具備し、
前記ＤＣＤＣコンバータから出力される異常信号に基づいて前記Ｄ級ドライブ回路へ入力される信号のゲインを低下させる手段を備えたことを特徴とするデジタルアンプ。
【請求項２】
音声信号をスイッチング増幅してアナログ出力するデジタルアンプであって、
前記音声信号の変調を行うパルス変調回路と、
前記変調回路の出力で駆動されるＤ級ドライブ回路と、
前記Ｄ級ドライブ回路の出力を平滑するフィルタ回路と、
前記パルス変調回路に電源供給を行うＤＣＤＣコンバータとを具備し、
前記ＤＣＤＣコンバータは非絶縁型昇圧回路で構成されたことを特徴とするデジタルアンプ。
【請求項３】
音声信号をスイッチング増幅してアナログ出力するデジタルアンプであって、
前記音声信号の変調を行うパルス変調回路と、
前記パルス変調回路の前段に設けられた減衰器と、
前記変調回路の出力で駆動されるＤ級ドライブ回路と、
前記Ｄ級ドライブ回路の出力を平滑するフィルタ回路と、
前記パルス変調回路に電源供給を行う非絶縁昇圧型ＤＣＤＣコンバータとを具備し、
前記ＤＣＤＣコンバータから出力される異常信号に基づいて前記減衰器の減衰量を調整する手段を備えたことを特徴とするデジタルアンプ。
【請求項４】
音声信号をスイッチング増幅してアナログ出力するデジタルアンプであって、
前記音声信号の変調を行うパルス変調回路と、
前記変調回路の出力で駆動されるＤ級ドライブ回路と、
前記Ｄ級ドライブ回路の出力を平滑するフィルタ回路と、
前記パルス変調回路に電源供給を行う非絶縁昇圧型ＤＣＤＣコンバータとを具備し、
前記ＤＣＤＣコンバータから出力される異常信号に基づいて前記変調回路の変調条件を制御する手段を備えたことを特徴とするデジタルアンプ。
【発明の詳細な説明】
【技術分野】
【０００１】
この発明は、デジタルアンプに関し、特に、電源回路の停止による音質の劣化防止に有効なデジタルアンプに関する。
【背景技術】
【０００２】
近年、ＡＶ機器の多機能化・高集積化が進む中で、複合ＡＶ機のデジタル化が注目されている。この種の複合ＡＶ機としては、ＣＤプレーヤ、ＡＭ／ＦＭラジオチューナー、オーディオアンプ等を同一筐体内で構成したＡＶ用のコンポーネントが知られている。
【０００３】
さらに、最近では、上述したような複合ＡＶ機に組み込まれるオーディオアンプとして、アナログアンプからデジタルアンプへの切替が検討されており、デジタルアンプを用いることで、従来のアナログアンプよりも、小型、低発熱、高音質等が期待できるため、デジタルアンプが複合ＡＶ機のオーディオアンプの主流となりつつある。
【０００４】
この種のデジタルアンプでは、音声信号の増幅がスイッチング動作により行われるため、ノイズや歪み対策が重要となる。これらの課題に対するアプローチとして、下記特許文献に記載された手法が知られている。
【特許文献１】特開２００３−２５８５６５号公報
【特許文献２】特開２００４−１２８６６２号公報  上記特許文献１には、ＣＤプレーヤの再生時にはデジタルアンプを駆動し、ラジオを受信する際には、デジタルアンプを停止させてアナログアンプを使用する構成やデジタルアンプをシールドケースに入れてシールドする手法が示されている。
【０００５】
また、特許文献２には、オーディオ入力信号と出力増幅段の出力信号とを比較し、この比較結果をもとに定電圧電源回路の出力を変調することで、出力増幅段による歪みを低減させる手法が開示されている。
【０００６】
一方、デジタルアンプによる音声信号の増幅は、トランジスタやＦＥＴのような非線形素子を用いた増幅回路によって行われ、この増幅回路には定電圧の電源が供給されるため、過大な信号が入力されると増幅素子の飽和により信号劣化が生じる。この課題を解決する手法としては、下記特許文献に示されたような手法が知られている。
【特許文献３】特開平７−３２１５７９号公報
【特許文献４】特開平９−１６７９２３号公報  上記特許文献３には、検出されたバッテリ電圧がしきい電圧条件を満たすか否か判定し、満たす場合に前記電力増幅器が飽和する危険があるとみなし、前記電力増幅器が線形領域で作動するよう前記可変アッテネータの減衰率を大きくする減衰率補正手段を備えた自動出力制御回路が開示されている。
【０００７】
また、上記特許文献４には、 出力増幅器を構成する出力トランジスタの飽和電圧を検出する検出手段と、この検出手段出力にもとづいて出力増幅器の入力信号のゲインを調整する自動レベル制御手段を備えた音響機器の出力増幅装置が開示されている。
【発明の開示】
【発明が解決しようとする課題】
【０００８】
上記各特許文献に示された手法は、いずれも有効な手法と考えられるが、ＤＣＤＣコンバータでデジタルアンプ回路に電源を供給する構成を取った場合、過電流や出力短絡によってＤＣＤＣコンバータが異常停止すると、デジタルアンプ回路への電源供給が停止し、電源系統以外は正常である場合であっても音声出力自体が停止する。
【０００９】
そこで、本発明は、電源回路が停止した場合であっても、音質劣化が防止された状態で継続的な音声出力を行う手法として有効なデジタルアンプを提供する。
【課題を解決するための手段】
【００１０】
上記目的を達成するため、請求項１記載の発明は、音声信号をスイッチング増幅してアナログ出力するデジタルアンプであって、前記音声信号の変調を行うパルス変調回路と、前記変調回路の出力で駆動されるＤ級ドライブ回路と、前記Ｄ級ドライブ回路の出力を平滑するフィルタ回路と、前記パルス変調回路に電源供給を行うＤＣＤＣコンバータとを具備し、前記ＤＣＤＣコンバータから出力される異常信号に基づいて前記Ｄ級ドライブ回路へ入力される信号のゲインを低下させる手段を備えたことを特徴とする。
【００１１】
このように、ＤＣＤＣコンバータの異常信号に基づいて入力ゲインを低下させることにより、電源電圧の不足によって生じる音声出力の歪みを防止することができる。ＤＣＤＣコンバータは、過電流、過電圧、出力短絡等が発生した場合に、自己の回路を保護するためにスイッチング動作を停止させるが、この動作停止によって電源電圧が低下すると、Ｄ級ドライブ回路への供給電圧不足によって音声出力波形が大きく歪むことになる。この現象は、特に大音量で駆動している場合にＤＣＤＣコンバータが停止したときに生じる。
【００１２】
そこで、この発明では、ＤＣＤＣコンバータの異常信号出力を利用することによって、電源電圧の低下が起こることを検出し、低下した電源電圧でＤ級ドライブ回路が飽和しない入力ゲインに設定することで、音声歪みを回避する。
【００１３】
尚、ＤＣＤＣコンバータが停止してもＤ級ドライブ回路には電源電圧が供給されるように、ＤＣＤＣコンバータから異常信号が出力されるとバッテリとＤ級ドライブ回路を直接接続する構成やＤＣＤＣコンバータとして非絶縁型の昇圧回路を用いる。
【００１４】
ここで、パルス変調回路としては、ＰＷＭ変換回路やΔΣ変換回路等を含めてもよく、また、音声信号に対して所定の演算処理を行う機能を含めても良い。デジタルアンプ回路で用いられる変調方式としては、パルス幅変調方式であるＰＷＭ（Ｐｕｌｓｅ  Ｗｉｄｔｈ  Ｍｏｄｕｌａｔｉｏｎ）、パルス密度変調方式であるＰＤＭ（Ｐｕｌｓｅ  Ｄｅｎｓｉｔｙ  Ｍｏｄｕｌａｔｉｏｎ）があり、デジタルアンプ回路に入力されるデータ形式としては、音楽ＣＤで用いられるＰＣＭ（Ｐｕｌｓｅ  Ｃｏｄｅ  Ｍｏｄｕｌａｔｉｏｎ）がある。
【００１５】
ここで、パルス変調回路に入力される音声信号は、アナログ信号であってもデジタル信号であっても良く、アナログ信号が入力される場合は、当該アナログ信号が直接パルス変調回路に入力されて、パルス信号に変換されるか、または、一旦、Ａ／Ｄコンバータを介してデジタル信号に変換された後にパルス変調回路に入力される構成のいずれを用いても良い。
【００１６】
一方、デジタル信号が入力される場合は、当該デジタル信号が直接パルス変調回路に入力されて、パルス信号に変換されるか、または、一旦、Ｄ／Ａコンバータを介して、アナログ信号に変換された後にパルス変調回路に入力される構成のいずれを用いても良い。
【００１７】
尚、パルス変調回路の実施形態としては、アナログ信号入力の場合は、アナログ入力ＰＷＭ変調回路またはアナログ入力ΔΣ回路を使用し、デジタル信号入力の場合は、デジタル入力ＰＷＭ変調回路またはデジタル入力ΔΣ回路を使用すれば良い。
【００１８】
また、本発明に係るデジタルアンプは、スイッチングアンプ、デジタルアンプ、Ｄ級アンプのいずれも含むものとする。
【００１９】
また、請求項２記載の発明は、音声信号をスイッチング増幅してアナログ出力するデジタルアンプであって、前記音声信号の変調を行うパルス変調回路と、前記変調回路の出力で駆動されるＤ級ドライブ回路と、前記Ｄ級ドライブ回路の出力を平滑するフィルタ回路と、前記パルス変調回路に電源供給を行うＤＣＤＣコンバータとを具備し、前記ＤＣＤＣコンバータは非絶縁型昇圧回路で構成されたことを特徴とする。
【００２０】
このように、ＤＣＤＣコンバータは非絶縁型昇圧回路で構成することで、ＤＣＤＣコンバータが異常停止しても、Ｄ級ドライブ回路やパルス変調回路への電源供給を維持することができるため、音声出力を継続させることができる。
【００２１】
ここで、非絶縁の昇圧ＤＣＤＣコンバーターは、ローサイドにスイッチング素子が配置されるため、過電流や出力短絡等の異常を検出すると、このローサイドのスイッチング素子が開放状態でラッチしてスイッチング動作を停止させれば、昇圧作用は得られないがバッテリの電圧を出力させることができる。
【００２２】
この状態で昇圧電圧時と同じゲインで音声出力が出ると、電源電圧が足りず音声出力波形が大きく歪む。これを防ぐためにＤＣＤＣコンバータの非動作時は入力ゲインを落として電源電圧に見合った信号を生成する構成とする。
【００２３】
また、請求項３記載の発明は、音声信号をスイッチング増幅してアナログ出力するデジタルアンプであって、前記音声信号の変調を行うパルス変調回路と、前記パルス変調回路の前段に設けられた減衰器と、前記変調回路の出力で駆動されるＤ級ドライブ回路と、前記Ｄ級ドライブ回路の出力を平滑するフィルタ回路と、前記パルス変調回路に電源供給を行う非絶縁昇圧型ＤＣＤＣコンバータとを具備し、前記ＤＣＤＣコンバータから出力される異常信号に基づいて前記減衰器の減衰量を調整する手段を備えたことを特徴とする。
【００２４】
このように、パルス変調回路の前段で減衰量を調整することで、アナログ入力タイプのデジタルアンプに本発明を適用することができる。
【００２５】
また、請求項４記載の発明は、音声信号をスイッチング増幅してアナログ出力するデジタルアンプであって、前記音声信号の変調を行うパルス変調回路と、前記変調回路の出力で駆動されるＤ級ドライブ回路と、前記Ｄ級ドライブ回路の出力を平滑するフィルタ回路と、前記パルス変調回路に電源供給を行う非絶縁昇圧型ＤＣＤＣコンバータとを具備し、前記ＤＣＤＣコンバータから出力される異常信号に基づいて前記変調回路の変調条件を制御する手段を備えたことを特徴とする。
【００２６】
このように、パルス変調回路の変調条件を制御することで、デジタル入力タイプのデジタルアンプに本発明を適用することができる。ここで、変調条件を制御する手法としては、デジタル音声信号をビットシフトさせる等の手法により、音量ゲインを下げる方法が採用可能である。
【発明の効果】
【００２７】
以上説明したように、本発明によれば、電源回路が停止した場合であっても、音質劣化が防止された状態で継続的な音声出力を行うことが可能になる。
【発明を実施するための最良の形態】
【００２８】
以下、本発明の実施形態を添付図面を参照して詳細に説明する。尚、本発明は、以下説明する実施形態に限らず適宜変更可能である。
【００２９】
図１は、本発明に係るデジタルアンプが組み込まれたオーディオコンポーネントの内部構成を示すブロック図である。同図に示すように、このオーディオコンポーネントは、ＡＭ／ＦＭラジオ受信部５１０と、オーディオテープ再生部５２０と、ＣＤ／ＤＶＤプレーヤ５３０と、デジタルアンプ回路を内蔵したデジタルアンプモジュール１００とで構成される。
【００３０】
そして、音声信号をアナログ形式で出力するＡＭ／ＦＭラジオ受信部５１０とオーディオテープ再生部５２０とがスイッチＳＷ１に接続され、このスイッチＳＷ１で選択された信号がＡ／Ｄコンバータ５４０に入力される。
【００３１】
ＡＭ／ＦＭラジオ受信部５１０またはオーディオテープ再生部５２０から出力されたアナログ形式の音声信号は、このＡ／Ｄコンバータ５４０でデジタル信号に変換され、減衰器１１２を介してデジタルアンプモジュール１００内のパルス変調器１２０に入力される。
【００３２】
一方、音声信号をデジタル形式で出力するＣＤ／ＤＶＤプレーヤ５３０と外部からのデジタル信号を入力するためのポートＰ３とがスイッチＳＷ２に接続され、このスイッチＳＷ２で選択された信号が減衰器１１２を介してデジタルアンプモジュール１００内のパルス変調器１２０に入力される。
【００３３】
デジタルアンプモジュール１００は、ＤＣＤＣコンバータ１００と、パルス変調器１２０と、Ｄ級ドライバ１３０と、ローパスフィルタ１４０とを内蔵し、ＡＭ／ＦＭラジオ受信部５１０、オーディオテープ再生部、ＣＤ／ＤＶＤプレーヤ５３０または外部ポートＰ３から入力された音声信号を増幅し、ポートＰ２を介して、オーディオコンポーネント５００の外部に設けられたスピーカ６２０にアナログ出力する。
【００３４】
ここで、パルス変調器１２０とＤ級ドライバ１３０とは、ＤＣＤＣコンバータ１１０で生成された電力で駆動され、このＤＣＤＣコンバータは、オーディオコンポーネント５００の外部に設けられたバッテリ６１０からの電力供給を利用して、パルス変調器１２０に電圧ＶＤＤ２を生成・供給し、Ｄ級ドライバ１３０に電圧ＶＤＤ１を生成・供給する。尚、このバッテリ６１０は、ポートＰ１に接続され、ＡＭ／ＦＭラジオ受信部５１０、オーディオテープ再生部、ＣＤ／ＤＶＤプレーヤ５３０に対しても電力供給を行う。
【００３５】
ＤＣＤＣコンバータ１１０は、過電流、過電圧、出力短絡等を検出すると、自己の回路を保護するためにスイッチング制御を停止し、異常信号ＦＬＴを減衰器１１２に出力する。この異常信号ＦＬＴを受けた減衰器１１２は、ＤＣＤＣコンバータ１１０のスイッチング制御の停止に伴って降下した電源電圧に見合うレベルまでオーディオ信号の入力ゲインを低下させる。
【００３６】
図２は、図１に示したＤＣＤＣコンバータの構成例を示す回路ブロック図である。同図に示す例は、Ｄ級ドライバに出力する電圧ＶＤＤ１と、パルス変調器に出力する電圧ＶＤＤ２とを非絶縁昇圧型の変換回路で構成した例である。
【００３７】
同図に示すように、電圧ＶＤＤ１をＤ級ドライバに出力する変換回路は、バッテリ６１０に接続されたコンデンサＣ１１、コイルＬ１、ＰＷＭ回路１６０−１から出力されるスイッチング信号によりスイッチングされるスイッチ素子ＳＷ１、ダイオードＤ１、出力端子Ｔｏｕｔに接続されるコンデンサＣ１２、出力電圧を分圧しＰＷＭ回路１６０−１にフィードバックする抵抗器Ｒ１１およびＲ１２から構成される。
【００３８】
同様に、電圧ＶＤＤ２をパルス変調器に出力する昇圧型の変換回路は、バッテリ６１０に接続されたコンデンサＣ２１、コイルＬ２、ＰＷＭ回路１６０−２から出力されるスイッチング信号によりスイッチングされるスイッチ素子ＳＷ２、ダイオードＤ２、出力端子Ｔｏｕｔに接続されるコンデンサＣ２２、出力電圧を分圧しＰＷＭ回路１６０−２にフィードバックする抵抗器Ｒ２１およびＲ２２から構成される。
【００３９】
ここで、ＰＷＭ回路１６０−１および１６０−２には、外部から入力されたクロック信号ＣＬＫが入力され、各ＰＷＭ回路は、出力ＶＤＤ１およびＶＤＤ２をそれぞれモニタしつつ、この入力されたクロック信号ＣＬＫを用いてスイッチング素子ＳＷ１およびＳＷ２の駆動波形をそれぞれ生成する。尚、同図に示したスイッチング素子ＳＷ１およびＳＷ２はＦＥＴで構成することが望ましく、また、クロック信号ＣＬＫは、ＤＣＤＣコンバータ内部にオシレータを設けて生成しても良い。
【００４０】
ＰＷＭ回路１６０−１および１６０−２は、フィードバックされた出力信号に基づいて、過電流、過電圧、出力短絡等の異常を検出し、これらの異常が発生した場合には、異常信号ＦＬＴを出力するとともに、ＳＷ１およびＳＷ２を開放状態にラッチし、バッテリ６１０の電圧をコイルＬ１とダイオードＤ１を介して出力することで電圧ＶＤＤ１を生成し、コイルＬ２とダイオードＤ２を介して出力することで電圧ＶＤＤ２を生成する。
【００４１】
例えば、ＤＣＤＣコンバータの負荷が過負荷になった場合、ＳＷ１またはＳＷ２のＯＮ状態が持続し、そのまま動作を継続させると各ＦＥＴに流れる電流が増大してＦＥＴの破壊に至るため、過負荷を検知した場合には、過負荷側のＦＥＴをＯＦＦにラッチする。
【００４２】
ここで、非絶縁昇圧型の変換回路は、入力と出力が導通した構成を有するため、ＦＥＴがＯＦＦ状態になってもダイオードの順方向に通電することができ、その結果、バッテリー電圧からコイルでの電圧降下とダイオードのＶｆを差し引いた電圧を出力することができる。
【００４３】
尚、ＰＷＭ回路１６０−１および１６０−２は、いずれか一方で異常が検出されると、双方連動してスイッチング素子ＳＷ１およびＳＷ２を開放状態にラッチする構成としても良く、また、電源電圧の低下によりＤ級アンプの飽和が生じるＶＤＤ１側のみをラッチする構成としても良い。
【００４４】
図３は、ＰＣＭ信号の入力を想定した場合の図１に示すデジタルアンプモジュールの内部構成例を示す回路ブロック図である。同図に示すように、図１のデジタルアンプモジュール１００にＰＣＭ信号が入力される場合には、パルス変調器１２０をＰＣＭ−ＰＷＭ変換器１２２で構成し、このＰＣＭ−ＰＷＭ変換器で外部から入力されたＰＣＭ信号をＰＷＭ信号に変換し、このＰＷＭ信号でＤ級ドライバ１３０を駆動する。
【００４５】
ここで、Ｄ級ドライバ１３０は、ハイサイドのスイッチング素子ＦＥＴ１と、ローサイドのスイッチング素子ＦＥＴ２と、該各スイッチング素子をＰＷＭ信号で駆動するドライバアンプＡｍｐ１およびＡｍｐ２とで構成される。
【００４６】
Ｄ級ドライバ１３０から出力された信号は、インダクタＬとコンデンサＣとで構成されたローパスフィルタ１４０を通過することで、アナログ音声信号が抽出され、この音声信号でスピーカ６２０が駆動される。
【００４７】
ここで、ＰＣＭ−ＰＷＭ１２２変換器は、ＤＣＤＣコンバータ１１０からの異常信号を受けると、ＰＣＭ信号をビットシフトさせて入力ゲインを低下させ、ＤＣＤＣコンバータ１１０の停止によって降下した電源電圧に見合った動作条件を生成する。
【００４８】
図４は、アナログ信号の入力を想定した場合のデジタルアンプモジュールの内部構成例を示す回路ブロック図である。同図に示すように、アナログ信号入力に対応させる場合は、図１に示したＡ／Ｄコンバータ５４０と減衰器１１２をデジタルアンプモジュール１００の内部に取り込めば良く、その他は、図３と同様に構成する。
【００４９】
ここで、減衰器１１２は、ＤＣＤＣコンバータ１１０からの異常信号を受けると、アナログ入力信号のゲインを低下させ、ＤＣＤＣコンバータ１１０の停止によって降下した電源電圧に見合った動作条件を生成する。
【００５０】
図５は、ＰＤＭ信号の入力を想定した場合のデジタルアンプモジュールの内部構成例を示す回路ブロック図である。同図に示すように、ＰＤＭ信号入力に対応させる場合は、ＰＤＭ−ＰＷＭ変換器１２４を用いてパルス変調器１２０を構成すれば良い。その他は、図３と同様である。
【００５１】
ここで、ＰＤＭ−ＰＷＭ変換器１２４は、ＤＣＤＣコンバータ１１０からの異常信号を受けると、ＰＤＭ信号をビットシフトさせて入力ゲインを低下させ、ＤＣＤＣコンバータ１１０の停止によって降下した電源電圧に見合った動作条件を生成する。
【００５２】
図６は、ＤＣＤＣコンバータが停止したときにバッテリ電圧をバイパスさせる場合の構成例を示した回路ブロック図である。同図に示すように、ＤＣＤＣコンバータ１１０をバイパスさせる経路にスイッチＳＷを設け、ＤＣＤＣコンバータが異常を検出した場合には、ＤＣＤＣコンバータ１１０を停止させるとともに、異常信号ＦＬＴをＰＣＭ−ＰＷＭ変換回路１２２に出力して入力ゲインを低下させ、異常信号ＦＬＴをスイッチＳＷに出力してスイッチＳＷをＯＮ状態にする。
【００５３】
その結果、バッテリ６１０の電圧が直接ＶＤＤ１およびＶＤＤ２として出力されるため、パルス変調回路１２０とＤ級ドライブ回路１３０の動作を継続させることができる。このように、ＤＣＤＣコンバータに異常が生じたときには、バッテリ電圧をバイパスさせる構成とすることで、非絶縁昇圧型以外のＤＣＤＣコンバータを使用した場合であっても、音声出力を継続させることができる。尚、この例はアナログ入力方式へも同様に適用可能である。
【００５４】
図７は、図１に示したオーディオコンポーネントの変形例を示すブロック図である。同図に示すように、パルス変調器１２０への電源供給ＶＤＤ２は、バッテリ６１０から直接行う構成としても良い。
【００５５】
図８は、図１に示したＤＣＤＣコンバータの変形例を示す回路ブロック図である。同図に示すように、ＤＣＤＣコンバータ１１０が出力する電源電圧ＶＤＤ１およびＶＤＤ２は、１つの変換回路から出力しても良い。
【産業上の利用可能性】
【００５６】
本発明によれば、電源回路が停止した場合であっても、音質劣化が防止された状態で継続的な音声出力を行うことが可能になるため、大音量の増幅を想定した複合ＡＶ機への適用が期待される。
【図面の簡単な説明】
【００５７】
【図１】本発明に係るデジタルアンプが組み込まれたオーディオコンポーネントの内部構成を示すブロック図である。
【図２】図１に示したＤＣＤＣコンバータの構成例を示す回路ブロック図である。
【図３】ＰＣＭ信号の入力を想定した場合の図１に示すデジタルアンプモジュールの内部構成例を示す回路ブロック図である。
【図４】アナログ信号の入力を想定した場合のデジタルアンプモジュールの内部構成例を示す回路ブロック図である。
【図５】ＰＤＭ信号の入力を想定した場合のデジタルアンプモジュールの内部構成例を示す回路ブロック図である。
【図６】ＤＣＤＣコンバータが停止したときにバッテリ電圧をバイパスさせる場合の構成例を示した回路ブロック図である。
【図７】図１に示したオーディオコンポーネントの変形例を示すブロック図である。
【図８】図１に示したＤＣＤＣコンバータの変形例を示す回路ブロック図である。
【符号の説明】
【００５８】
１００…デジタルアンプモジュール、１１０…ＤＣＤＣコンバータ、１１２…減衰器、１２０…パルス変調器、１２２…ＰＣＭ−ＰＷＭ変換器、１２４…ＰＤＭ−ＰＷＭ変換器、１３０…Ｄ級ドライバ、１４０…ローバスフィルタ、１６０…ＰＷＭ回路、５００…オーディオコンポーネント、５１０…ＡＭ／ＦＭラジオ受信部、５２０…オーディオテープ再生部、５３０…ＣＤ／ＤＶＤプレーヤ、５４０…Ａ／Ｄコンバータ、６１０…バッテリ、６２０…スピーカ
【図１】
2006148671.tif 000003
【図２】
2006148671.tif 000004
【図３】
2006148671.tif 000005
【図４】
2006148671.tif 000006
【図５】
2006148671.tif 000007
【図６】
2006148671.tif 000008
【図７】
2006148671.tif 000009
【図８】
2006148671.tif 000010